(57)【要約】【課題】カメラ側でのぼかし処理を適切に制御すること。【解決手段】情報処理装置、撮像対象のＲＧＢ画像と、赤外線を用いて撮像対象との距離を検出した深度情報とを取得するとともに、深度情報に基づいてＲＧＢ画像のうち背景と判断される背景領域に対してぼかし処理を行なった撮像画像と、ＲＧＢ画像に対してぼかし処理を行なわない撮像画像とのいずれかを出力する撮像部と、撮像部から出力された撮像画像に基づいて認証処理を実行する認証処理部と、認証処理部による認証結果に基づいてログインするログイン処理を実行するログイン処理部と、少なくとも認証処理部が認証処理を実行する期間については、撮像部に対してぼかし処理を行なわないように指示するぼかし処理制御部と、を備える。【選択図】図１
2020140430.tif 000002
【特許請求の範囲】
【請求項１】
撮像対象のＲＧＢ画像と、赤外線を用いて撮像対象との距離を検出した深度情報とを取得するとともに、前記深度情報に基づいて前記ＲＧＢ画像のうち背景と判断される背景領域に対してぼかし処理を行なった撮像画像と、前記ＲＧＢ画像に対して前記ぼかし処理を行なわない撮像画像とのいずれかを出力する撮像部と、
前記撮像部から出力された撮像画像に基づいて認証処理を実行する認証処理部と、
前記認証処理部による認証結果に基づいてログインするログイン処理を実行するログイン処理部と、
少なくとも前記認証処理部が認証処理を実行する期間については、前記撮像部に対して前記ぼかし処理を行なわないように指示するぼかし処理制御部と、
を備える情報処理装置。
【請求項２】
前記ログインしている状態からログオフするログオフ処理を実行するログオフ処理部、
を備え、
前記ぼかし処理制御部は、
前記ログオフ処理部がログオフ処理を実行するタイミングに応じて、前記撮像部に対して前記ぼかし処理を行なわないように指示する、
請求項１に記載の情報処理装置。
【請求項３】
前記ぼかし処理制御部は、
前記ログイン処理部によりログインしたことに応じて、前記撮像部に対して前記ぼかし処理を行うように指示する、
請求項１または請求項２に記載の情報処理装置。
【請求項４】
ユーザの操作を受け付ける入力部と、
前記入力部が受け付けるユーザの操作に基づいて、前記ログインしている状態において前記ぼかし処理を行なうか否かを設定する設定部と、
を備える請求項１から請求項３のいずれか一項に記載の情報処理装置。
【請求項５】
前記ぼかし処理制御部は、
前記ログイン処理部によりログインしたことに応じて、前記設定部により前記ぼかし処理を行なうと設定されている場合には前記撮像部に対して前記ぼかし処理を行うように指示し、前記設定部により前記ぼかし処理を行なわないと設定されている場合には前記ぼかし処理を行なわないように指示する、
請求項４に記載の情報処理装置。
【請求項６】
撮像対象を撮像するとともに、撮像した画像から背景領域を抽出し、抽出した背景領域に対してぼかし処理を行なった撮像画像と、撮像した画像に対して前記ぼかし処理を行なわない撮像画像とのいずれかを出力する撮像部から出力された撮像画像に基づいて認証処理を実行する認証処理部と、
前記認証処理部による認証結果に基づいてログインするログイン処理を実行するログイン処理部と、
前記ログインしている状態からログオフするログオフ処理を実行するログオフ処理部と、
前記ログオフしている状態では、前記撮像部に対して前記ぼかし処理を行なわないように指示するぼかし処理制御部と、
を備える情報処理装置。
【請求項７】
情報処理装置における制御方法であって、
撮像部が、撮像対象のＲＧＢ画像と、赤外線を用いて撮像対象との距離を検出した深度情報とを取得するとともに、前記深度情報に基づいて前記ＲＧＢ画像のうち背景と判断される背景領域に対してぼかし処理を行なった撮像画像と、前記ＲＧＢ画像に対して前記ぼかし処理を行なわない撮像画像とのいずれかを出力する撮像ステップと、
認証処理部が、前記撮像部から出力された撮像画像に基づいて認証処理を実行する認証処理ステップと、
ログイン処理部が、前記認証処理部による認証結果に基づいてログインするログイン処理を実行するログイン処理ステップと、
ぼかし処理制御部が、少なくとも前記認証処理部が認証処理を実行する期間については、前記撮像部に対して前記ぼかし処理を行なわないように指示するぼかし処理制御ステップと、
を有する制御方法。
【請求項８】
情報処理装置における制御方法であって、
取得部が、撮像対象を撮像するとともに、撮像した画像から背景領域を抽出し、抽出した背景領域に対してぼかし処理を行なった撮像画像と、撮像した画像に対して前記ぼかし処理を行なわない撮像画像とのいずれかを出力する撮像部から出力された撮像画像を取得する取得ステップと、
認証処理部が、前記取得部が取得した撮像画像に基づいて認証処理を実行する認証処理ステップと、
ログイン処理部が、前記認証処理部による認証結果に基づいてログインするログイン処理を実行するログイン処理ステップと、
ログオフ処理部が、前記ログインしている状態からログオフするログオフ処理を実行するログオフ処理ステップと、
ぼかし処理制御部が、前記ログオフしている状態では、前記撮像部に対して前記ぼかし処理を行なわないように指示するぼかし処理制御ステップと、
を有する制御方法。
【請求項９】
コンピュータに、
撮像対象のＲＧＢ画像と、赤外線を用いて撮像対象との距離を検出した深度情報とを取得するとともに、前記深度情報に基づいて前記ＲＧＢ画像のうち背景と判断される背景領域に対してぼかし処理を行なった撮像画像と、前記ＲＧＢ画像に対して前記ぼかし処理を行なわない撮像画像とのいずれかを出力させる撮像ステップと、
前記撮像ステップにおいて出力された撮像画像に基づいて認証処理を実行させる認証処理ステップと、
前記認証処理ステップによる認証結果に基づいてログインするログイン処理を実行させるログイン処理ステップと、
少なくとも前記認証処理ステップにおいて認証処理を実行する期間については、前記撮像ステップにおいて前記ぼかし処理を行なわないように指示するぼかし処理制御ステップと、
を実行させるためのプログラム。
【請求項１０】
コンピュータに、
撮像対象を撮像するとともに、撮像した画像から背景領域を抽出し、抽出した背景領域に対してぼかし処理を行なった撮像画像と、撮像した画像に対して前記ぼかし処理を行なわない撮像画像とのいずれかを出力する撮像部から出力された撮像画像を取得させる取得ステップと、
前記取得ステップにより取得された撮像画像に基づいて認証処理を実行させる認証処理ステップと、
前記認証処理ステップによる認証結果に基づいてログインするログイン処理を実行させるログイン処理ステップと、
前記ログインしている状態からログオフするログオフ処理を実行させるログオフ処理ステップと、
前記ログオフしている状態では、前記撮像部に対して前記ぼかし処理を行なわないように指示するぼかし処理制御ステップと、
を実行させるためのプログラム。
【発明の詳細な説明】
【技術分野】
【０００１】
本発明は、情報処理装置、制御方法、及びプログラムに関する。
【背景技術】
【０００２】
システムのログイン時にユーザを撮影した画像を用いて顔認証する技術がある（例えば、特許文献１）。この技術は、個人で使用するパーソナルコンピュータのログイン認証として用いられているものがある。
【先行技術文献】
【特許文献】
【０００３】
【特許文献１】特開２００３−６７３３９号公報
【発明の概要】
【発明が解決しようとする課題】
【０００４】
自宅など会社外で仕事をする働き方も増えてきており、パーソナルコンピュータを使用して会社外で動画と音声を使用したビデオ会議を行う機会も増えている。また、個人で、自宅から動画の配信を行うことも行われている。このような状況では、プライバシー保護の観点から動画の背景をぼかしたいという要求がある。
【０００５】
しかしながら、リアルタイムに背景をぼかす処理は処理負荷が高く、ビデオ会議や動画の配信を行うアプリケーション側で行うのは困難である。そのため、カメラ側でぼかし処理を行なう方法が考えられるが、カメラ側でぼかし処理を行なうと、ログイン認証時に顔認証を正しくできない場合がある。
【０００６】
本発明は、上記した事情に鑑みてなされたもので、カメラ側でのぼかし処理を適切に制御する情報処理装置、制御方法、及びプログラムを提供することを目的の一つとする。
【課題を解決するための手段】
【０００７】
本発明は上記の課題を解決するためになされたものであり、本発明の第１態様に係る情報処理装置は、撮像対象のＲＧＢ画像と、赤外線を用いて撮像対象との距離を検出した深度情報とを取得するとともに、前記深度情報に基づいて前記ＲＧＢ画像のうち背景と判断される背景領域に対してぼかし処理を行なった撮像画像と、前記ＲＧＢ画像に対して前記ぼかし処理を行なわない撮像画像とのいずれかを出力する撮像部と、前記撮像部から出力された撮像画像に基づいて認証処理を実行する認証処理部と、前記認証処理部による認証結果に基づいてログインするログイン処理を実行するログイン処理部と、少なくとも前記認証処理部が認証処理を実行する期間については、前記撮像部に対して前記ぼかし処理を行なわないように指示するぼかし処理制御部と、を備える。
【０００８】
上記情報処理装置は、前記ログインしている状態からログオフするログオフ処理を実行するログオフ処理部、を備え、前記ぼかし処理制御部は、前記ログオフ処理部がログオフ処理を実行するタイミングに応じて、前記撮像部に対して前記ぼかし処理を行なわないように指示してもよい。
【０００９】
上記情報処理装置において、前記ぼかし処理制御部は、前記ログイン処理部によりログインしたことに応じて、前記撮像部に対して前記ぼかし処理を行うように指示してもよい。
【００１０】
上記情報処理装置は、ユーザの操作を受け付ける入力部と、前記入力部が受け付けるユーザの操作に基づいて、前記ログインしている状態において前記ぼかし処理を行なうか否かを設定する設定部と、を備えてもよい。
【００１１】
上記情報処理装置において、前記ぼかし処理制御部は、前記ログイン処理部によりログインしたことに応じて、前記設定部により前記ぼかし処理を行なうと設定されている場合には前記撮像部に対して前記ぼかし処理を行うように指示し、前記設定部により前記ぼかし処理を行なわないと設定されている場合には前記ぼかし処理を行なわないように指示してもよい。
【００１２】
また、本発明の第２態様に係る情報処理装置は、撮像対象を撮像するとともに、撮像した画像から背景領域を抽出し、抽出した背景領域に対してぼかし処理を行なった撮像画像と、撮像した画像に対して前記ぼかし処理を行なわない撮像画像とのいずれかを出力する撮像部から出力された撮像画像に基づいて認証処理を実行する認証処理部と、前記認証処理部による認証結果に基づいてログインするログイン処理を実行するログイン処理部と、前記ログインしている状態からログオフするログオフ処理を実行するログオフ処理部と、前記ログオフしている状態では、前記撮像部に対して前記ぼかし処理を行なわないように指示するぼかし処理制御部と、を備える。
【００１３】
また、本発明の第３態様に係る情報処理装置における制御方法は、撮像部が、撮像対象のＲＧＢ画像と、赤外線を用いて撮像対象との距離を検出した深度情報とを取得するとともに、前記深度情報に基づいて前記ＲＧＢ画像のうち背景と判断される背景領域に対してぼかし処理を行なった撮像画像と、前記ＲＧＢ画像に対して前記ぼかし処理を行なわない撮像画像とのいずれかを出力する撮像ステップと、認証処理部が、前記撮像部から出力された撮像画像に基づいて認証処理を実行する認証処理ステップと、ログイン処理部が、前記認証処理部による認証結果に基づいてログインするログイン処理を実行するログイン処理ステップと、ぼかし処理制御部が、少なくとも前記認証処理部が認証処理を実行する期間については、前記撮像部に対して前記ぼかし処理を行なわないように指示するぼかし処理制御ステップと、を有する。
【００１４】
また、本発明の第４態様に係る情報処理装置における制御方法は、取得部が、撮像対象を撮像するとともに、撮像した画像から背景領域を抽出し、抽出した背景領域に対してぼかし処理を行なった撮像画像と、撮像した画像に対して前記ぼかし処理を行なわない撮像画像とのいずれかを出力する撮像部から出力された撮像画像を取得する取得ステップと、認証処理部が、前記取得部が取得した撮像画像に基づいて認証処理を実行する認証処理ステップと、ログイン処理部が、前記認証処理部による認証結果に基づいてログインするログイン処理を実行するログイン処理ステップと、ログオフ処理部が、前記ログインしている状態からログオフするログオフ処理を実行するログオフ処理ステップと、ぼかし処理制御部が、前記ログオフしている状態では、前記撮像部に対して前記ぼかし処理を行なわないように指示するぼかし処理制御ステップと、を有する。
【００１５】
また、本発明の第５態様に係るプログラムは、コンピュータに、撮像対象のＲＧＢ画像と、赤外線を用いて撮像対象との距離を検出した深度情報とを取得するとともに、前記深度情報に基づいて前記ＲＧＢ画像のうち背景と判断される背景領域に対してぼかし処理を行なった撮像画像と、前記ＲＧＢ画像に対して前記ぼかし処理を行なわない撮像画像とのいずれかを出力させる撮像ステップと、前記撮像ステップにおいて出力された撮像画像に基づいて認証処理を実行させる認証処理ステップと、前記認証処理ステップによる認証結果に基づいてログインするログイン処理を実行させるログイン処理ステップと、少なくとも前記認証処理ステップにおいて認証処理を実行する期間については、前記撮像ステップにおいて前記ぼかし処理を行なわないように指示するぼかし処理制御ステップと、を実行させる。
【００１６】
また、本発明の第６態様に係るプログラムは、コンピュータに、撮像対象を撮像するとともに、撮像した画像から背景領域を抽出し、抽出した背景領域に対してぼかし処理を行なった撮像画像と、撮像した画像に対して前記ぼかし処理を行なわない撮像画像とのいずれかを出力する撮像部から出力された撮像画像を取得させる取得ステップと、前記取得ステップにより取得された撮像画像に基づいて認証処理を実行させる認証処理ステップと、前記認証処理ステップによる認証結果に基づいてログインするログイン処理を実行させるログイン処理ステップと、前記ログインしている状態からログオフするログオフ処理を実行させるログオフ処理ステップと、前記ログオフしている状態では、前記撮像部に対して前記ぼかし処理を行なわないように指示するぼかし処理制御ステップと、を実行させる。
【発明の効果】
【００１７】
本発明の上記態様によれば、カメラ側でのぼかし処理を適切に制御することができる。
【図面の簡単な説明】
【００１８】
【図１】第１の実施形態に係る撮像部（カメラ）の設定画面の一例を示す図。
【図２】第１の実施形態に係る情報処理装置のＨＰＤ処理の概要を説明する図。
【図３】第１の実施形態に係る情報処理装置の外観の構成例を示す斜視図。
【図４】近接センサのセンサ検出範囲を示す模式図。
【図５】第１の実施形態に係る情報処理装置の構成例を示す概略ブロック図。
【図６】第１の実施形態に係るシステム処理部の構成例を示す概略ブロック図。
【図７】第１の実施形態に係る起動制御の一例を示すフローチャート。
【図８】第１の実施形態に係る待機状態遷移処理の一例を示すフローチャート。
【図９】第１の実施形態に係るぼかし制御処理の一例を示すフローチャート。
【図１０】第２の実施形態に係るぼかし制御処理の一例を示すフローチャート。
【図１１】第３の実施形態に係るぼかし制御処理の一例を示すフローチャート。
【発明を実施するための形態】
【００１９】
＜第１の実施形態＞
まず、本発明の第１の実施形態に係る情報処理装置１の概要について説明する。本実施形態に係る情報処理装置１は、例えば、ノートブック型のＰＣ（Ｐｅｒｓｏｎａｌ  Ｃｏｍｐｕｔｅｒ；パーソナルコンピュータ）である。情報処理装置１は、撮像部（カメラ）を備えている。この撮像部は、ログイン時の認証処理（ログイン認証処理）で使用されるとともに、情報処理装置１で実行されるアプリケーションで使用される。ログイン時には、情報処理装置１は、撮像部が撮像したユーザの画像に基づいて顔認証を行い、予め登録された正規のユーザであるか否かの認証処理を実行する。また、ログイン後においては、情報処理装置１は、ビデオ会議や動画の配信を行うアプリケーションなどで、動画を撮像する際に使用する。
【００２０】
ここで、ビデオ会議や動画の配信を行うアプリケーションなどを利用する際に、プライバシー保護の観点から動画の背景をぼかしたいという要求がある。そこで、情報処理装置１は、撮像部で撮像した画像の背景にぼかし処理を行なう機能を搭載している。
【００２１】
図１は、本実施形態に係る撮像部（カメラ）の設定画面の一例を示す図である。図示する設定画面は、ビデオ会議や動画の配信を行うアプリケーションなどとは別の、カメラ側の処理の設定用のアプリケーションの設定画面である。図示する設定画面において、撮像する画像のコントラスト、ブライトネス、露出などの設定を行う操作子（スライダーやボタン）が表示されるとともに、背景をぼかすぼかし処理（Ｂｌｕｒ）のオン／オフを設定する操作ボタンＢ１１が表示される。プレビュー画面Ｇ１１には、各種の設定が反映された撮像画像のプレビュー動画が表示される。ぼかし処理がビデオ会議や動画の配信を行うアプリケーション側の処理ではなく、カメラ側の処理であるため、アプリケーションごとの設定ではなく、どのアプリケーションが利用するときもカメラ側の設定としては同じ設定となる。
【００２２】
ここで、撮像部は、背景のぼかし処理を行なう際に、撮像した画像から主被写体Ｍ（例えば、人物）以外の背景領域Ｒを抽出し、抽出した背景領域Ｒにぼかし処理を行なうが、主被写体Ｍである人物（顔など）の輪郭などの境界線（例えば、顔の領域と背景領域との境界線）もぼかされてしまうことがある。人物（顔など）の輪郭などの境界線がぼかされてしまうと、顔認証を正しく行うことができなくなる。そこで、本実施形態に係る情報処理装置１は、少なくとも認証処理の期間については、ぼかし処理を行なわないように解除する。これにより、ビデオ会議や動画の配信でのプライバシー保護とログイン時の認証処理とを両立することができる。
【００２３】
以下、本実施形態に係る情報処理装置１について、詳しく説明する。なお、情報処理装置１は、典型的な例としてノートブック型のＰＣである例で説明するが、デスクトップ型のＰＣであってもよい。また、情報処理装置１は、タブレット型のＰＣや、スマートフォンなど、いずれの形態をも排除するものではない。
【００２４】
情報処理装置１は、システムの動作状態として少なくとも通常動作状態（パワーオン状態）と待機状態との間を遷移可能である。通常動作状態とは、特に制限なく処理の実行が可能な動作状態であり、例えば、ＡＣＰＩ（Ａｄｖａｎｃｅｄ  Ｃｏｎｆｉｇｕｒａｔｉｏｎ  ａｎｄ  Ｐｏｗｅｒ  Ｉｎｔｅｒｆａｃｅ）で規定されているＳ０状態に相当する。待機状態は、システム処理の少なくとも一部が制限されている状態である。例えば、待機状態は、少なくとも表示部の表示がＯＦＦ（画面ＯＦＦ）となる状態であり、通常動作状態よりも電力の消費量が低い動作状態である。待機状態は、スタンバイ状態、スリープ状態等であってもよく、Ｗｉｎｄｏｗｓ（登録商標）におけるモダンスタンバイや、ＡＣＰＩで規定されているＳ３状態（スリープ状態）等に相当する状態であってもよい。また、待機状態には、ハイバネーション状態やパワーオフ状態等が含まれでもよい。ハイバネーション状態は、例えば、ＡＣＰＩで規定されているＳ４状態に相当する。パワーオフ状態は、例えば、ＡＣＰＩで規定されているＳ５状態（シャットダウンした状態）相当する。
【００２５】
以下では、システムの動作状態が待機状態から通常動作状態へ遷移することを起動と呼ぶことがある。待機状態では、一般的に通常動作状態よりも動作の活性度が低いため、情報処理装置１のシステム処理を起動させることは、情報処理装置１におけるシステム処理の動作を活性化させることになる。
【００２６】
情報処理装置１は、後述する近接センサを備えており、情報処理装置１の近傍に存在する人物を検出する。この人物の存在を検出する処理のことを、ＨＰＤ（Ｈｕｍａｎ  Ｐｒｅｓｅｎｃｅ  Ｄｅｔｅｃｔｉｏｎ）処理とも呼ぶことがある。情報処理装置１は、情報処理装置１の近傍に存在する人物を検出し、検出結果に基づいてシステム処理の動作を制御する。図２は、本実施形態に係る情報処理装置１のＨＰＤ処理の概要を説明する図である。情報処理装置１は、図２（Ａ）に示すように、情報処理装置１へ人物が接近したこと（Ａｐｐｒｏａｃｈ）を検出した場合、自動でシステム処理を起動する。また、情報処理装置１は、図２（Ｂ）に示すように、情報処理装置１の前に人物が存在している状態（Ｐｒｅｓｅｎｃｅ）では、システム処理を待機状態へ遷移させないように制限し、通常動作状態を継続させる。そして、情報処理装置１は、図２（Ｃ）に示すように、情報処理装置１から人物が離脱したこと（Ｌｅａｖｅ）を検出した場合には、システム処理を待機状態へ遷移させる。
【００２７】
（情報処理装置の外観構成）
図３は、本実施形態に係る情報処理装置１の外観の構成例を示す斜視図である。
情報処理装置１は、第１筐体１０、第２筐体２０、及びヒンジ機構１５を備える。第１筐体１０と第２筐体２０は、ヒンジ機構１５を用いて結合されている。第１筐体１０は、第２筐体２０に対して、ヒンジ機構１５がなす回転軸の周りに相対的に回動可能である。回転軸の方向は、ヒンジ機構１５が設置されている側面１０ｃ、２０ｃに対して平行である。
【００２８】
第１筐体１０は、Ａカバー、ディスプレイ筐体とも呼ばれる。第２筐体２０は、Ｃカバー、システム筐体とも呼ばれる。以下の説明では、第１筐体１０と第２筐体２０の側面のうち、ヒンジ機構１５が備わる面を、それぞれ側面１０ｃ、２０ｃと呼ぶ。第１筐体１０と第２筐体２０の側面のうち、側面１０ｃ、２０ｃとは反対側の面を、それぞれ側面１０ａ、２０ａと呼ぶ。図示において、側面２０ａから側面２０ｃに向かう方向を「後」と呼び、側面２０ｃから側面２０ａに向かう方向を「前」と呼ぶ。後方に対して右方、左方を、それぞれ「右」、「左」と呼ぶ。第１筐体１０、第２筐体２０の左側面をそれぞれ側面１０ｂ、２０ｂと呼び、右側面をそれぞれ側面１０ｄ、２０ｄと呼ぶ。また、第１筐体１０と第２筐体２０とが重なり合って完全に閉じた状態（開き角θ＝０°の状態）を「閉状態」と呼ぶ。閉状態において第１筐体１０と第２筐体２０との互いに対面する側の面を、それぞれの「内面」と呼び、内面に対して反対側の面を「外面」と呼ぶ。また、閉状態に対して第１筐体１０と第２筐体２０とが開いた状態のことを「開状態」と呼ぶ。
【００２９】
図３に示す情報処理装置１の外観は開状態の例を示している。開状態は、第１筐体１０の側面１０ａと側２筐体２０の側面２０ａとが離れた状態である。開状態では、第１筐体１０と第２筐体２０とのそれぞれの内面が表れ、情報処理装置１は通常の動作を実行可能とすることが期待される。開状態は、第１筐体１０の内面と第２筐体２０の内面とがなす開き角θが所定の角度以上になった状態であり、典型的には１００〜１３０°程度となる。なお、開状態となる開き角θの範囲は、ヒンジ機構１５よって回動可能な角度の範囲等に応じて任意に定めることができる。
【００３０】
第１筐体１０の内面には、表示部１１０が設けられている。表示部１１０は、液晶ディスプレイ（ＬＣＤ：Ｌｉｑｕｉｄ  Ｃｒｙｓｔａｌ  Ｄｉｓｐｌａｙ）や有機ＥＬ(Ｅｌｅｃｔｒｏ  Ｌｕｍｉｎｅｓｃｅｎｃｅ）ディスプレイなどを含んで構成されている。また、第１筐体１０の内面のうち表示部１１０の周縁の領域に、撮像部１２０と近接センサ１３０とが設けられている。撮像部１２０は、表示部１１０の周縁の領域のうち側面２０ａ側に配置されている。近接センサ１３０は、表示部１１０の周縁の領域のうち側面２０ｃ側に配置されている。
【００３１】
撮像部１２０は、開状態において、第１筐体１０の内面に対面する方向（前方）の所定の画角内の物体の像を撮像する。所定の画角とは、撮像部１２０が有する撮像素子と撮像素子の撮像面の前方に設けられた光学レンズとによって定める撮像画角である。ここで、撮像部１２０は、例えば、ＲＧＢ画像を撮像するＲＧＢカメラとしての機能とＩＲ（赤外線）を用いて撮像対象との距離を検出した深度情報を取得するＩＲカメラとしての機能を持つハイブリッドカメラであってもよい。詳しくは、図５を参照して後述する。
【００３２】
近接センサ１３０は、情報処理装置１の近傍に存在する物体（例えば、人物）を検出する。例えば、近接センサ１３０は、赤外線を発光する発光部と、発光した赤外線が物体の表面に反射して戻ってくる反射光を受光する受光部とを含んで構成される赤外線距離センサである。近接センサ１３０は、所定のサンプリング周期（例えば、１Ｈｚ）で、受光部が受光した光を検出し、受光した結像位置に基づいて距離を算出する三角測距方式や、発光から受光までの時間差等を距離に換算するＴｏＦ（Ｔｉｍｅ  ｏｆ  Ｆｌｉｇｈｔ）方式等を用いて、物体（例えば、人物）との距離に応じて検出信号を出力する。
【００３３】
図４は、近接センサ１３０のセンサ検出範囲を示す模式図である。開状態において、第１筐体１０の内面に配置されている近接センサ１３０は、第１筐体１０の内面に対面する方向（前方）における物体（例えば、人物）を検出する。検出視野角ＦｏＶ（Ｆｉｅｌｄ  ｏｆ  Ｖｉｅｗ）は、近接センサ１３０が検出可能な角度を示す。検出限界距離ＫＬａは、近接センサ１３０が検出可能な限界距離を示す。この検出視野角ＦｏＶ（例えば、２５°〜３０°）と検出限界距離ＫＬａ（例えば、１２０ｃｍ）とによる範囲が、近接センサ１３０が検出可能なセンサ検出範囲である。
【００３４】
なお、近接センサ１３０は、発光ダイオードが発光する赤外線を用いたセンサであってもよいし、発光ダイオードが発光する赤外線よりも波長帯域が狭い光線を発光する赤外線レーザを用いたセンサであってもよい。また、近接センサ１３０は、赤外線距離センサに限定されるものでなく、物体との距離を検出するセンサであれば、超音波センサまたはＵＷＢ（Ｕｌｔｒａ  Ｗｉｄｅ  Ｂａｎｄ）レーダを用いたセンサ等の他の方式を用いたセンサであってもよい。
【００３５】
なお、撮像部１２０が上述したハイブリッドカメラである場合、近接センサ１３０を備えずに、撮像部１２０が取得する深度情報に基づいて情報処理装置１の近傍に存在する物体（例えば、人物）を検出してもよいし、近接センサ１３０と撮像部１２０とを併用してもよい。
【００３６】
図３に戻り、第２筐体２０の内面には、キーボード１５１及びタッチパッド１５３が入力デバイスとして設けられている。なお、入力デバイスとして、キーボード１５１及びタッチパッド１５３に代えて、または加えて、タッチセンサが含まれてもよいし、マウスや外付けのキーボードが接続されてもよい。タッチセンサが設けられた構成の場合、表示部１１０の表示面に対応する領域が操作を受け付けるタッチパネルとして構成されてもよい。また、入力デバイスには、音声が入力されるマイクが含まれてもよい。
【００３７】
なお、第１筐体１０と第２筐体２０とが閉じた閉状態では、第１筐体１０の内面に設けられている表示部１１０、撮像部１２０、及び近接センサ１３０は、第２筐体２０の内面に覆われて、機能を発揮できない状態である。第１筐体１０と第２筐体２０とが完全に閉じた状態では、開き角θは０°となる。
【００３８】
（情報処理装置の構成）
図５は、本実施形態に係る情報処理装置１の構成例を示す概略ブロック図である。情報処理装置１は、表示部１１０、撮像部１２０、近接センサ１３０、動きセンサ１４０、入力デバイス１５０、ＥＣ（Ｅｍｂｅｄｄｅｄ  Ｃｏｎｔｒｏｌｌｅｒ）２００、システム処理部３００、通信部３５０、記憶部３６０、入出力端子３７０、及び電源部４００を含んで構成される。表示部１１０は、システム処理部３００により実行されるシステム処理により生成された表示データを表示する。
【００３９】
撮像部１２０は、第１筐体１０の内面に対面する方向（前方）の所定の画角内の物体の像を撮像し、撮像した画像をシステム処理部３００へ出力する。例えば、情報処理装置１に接近した人物の顔面が撮像部１２０の画角内に含まれるとき、撮像部１２０は、人物の顔画像を撮像し、撮像した顔画像をシステム処理部３００へ出力する。例えば、撮像部１２０は、ＲＧＢ画像を撮像するＲＧＢカメラとしての機能とＩＲ（赤外線）を用いて撮像対象との距離を検出した深度情報を取得するＩＲカメラとしての機能を持つハイブリッドカメラである。なお、撮像部１２０は、システム処理部３００と、ＵＳＢ（Ｕｎｉｖｅｒｓａｌ  Ｓｅｒｉａｌ  Ｂｕｓ）インターフェース、またはＭＩＰＩ（Ｍｏｂｉｌｅ  Ｉｎｄｕｓｔｒｙ  Ｐｒｏｃｅｓｓｏｒ  Ｉｎｔｅｒｆａｃｅ）（登録商標）などでシステム処理部３００と接続される。システム処理部３００は、撮像部１２０で撮像された撮像画像を取得する。
【００４０】
撮像部１２０は、光学部１２１と、撮像素子１２２と、画像処理部１２３とを含んで構成されている。光学部１２１は、画角内の物体の像を撮像素子１２２へ導く光学レンズ、赤外線レーザ、及びＩＲカットフィルタなどを含んで構成されている。ＩＲカットフィルタは、撮像素子１２２が受光する光から赤外の波長をカットするフィルタである。ＩＲカットフィルタは、不図示の駆動部によって、その位置を移動可能に構成されており、ＲＧＢカメラとしての機能する場合には光学レンズの光軸上の位置に駆動され、ＩＲカメラとしての機能する場合には光学レンズの光軸から外れた位置に駆動される。ＲＧＢカメラとしての機能する場合、撮像素子１２２は、光学レンズ及びＩＲカットフィルタを介して可視光を受光し、光電変換したＲＧＢ画像信号を画像処理部１２３へ出力する。一方、ＩＲカメラとして機能する場合、撮像素子１２２は、赤外線レーザから出力した赤外線が物体（撮像対象）で反射して戻ってくる反射光を光学レンズを介して受光し、光電変換したＩＲ画像信号を画像処理部１２３へ出力する。画像処理部１２３は、取得したＲＧＢ画像信号からＲＧＢ画像の画像データを生成する。また、画像処理部１２３は、取得したＩＲ画像信号に基づいて撮像対象との距離を示す深度情報を生成する。深度情報の生成には、三角測距方式やＴｏＦ方式等を用いてもよい。
【００４１】
また、画像処理部１２３は、ＲＧＢ画像の画像データと深度情報とに基づいてＲＧＢ画像の背景領域を判定する。例えば、画像処理部１２３は、相対的に近距離の被写体を人物などの主被写体（例えば、図１の主被写体Ｍ）と判定し、当該近距離の被写体の領域以外を背景領域（例えば、図１の背景領域Ｒ）と判定する。また、画像処理部１２３は、ＲＧＢ画像の背景領域と判定した領域の画像データに対して、ぼかし処理を行なう。ぼかし処理としては、ガウスぼかし処理、モザイク処理など任意のぼかし処理を適用してもよい。画像処理部１２３は、システム処理部３００からの指示に応じて、ＲＧＢ画像の背景領域に対してぼかし処理を行なうか否かを切替える。
【００４２】
このように、撮像部１２０は、撮像対象のＲＧＢ画像と、ＩＲを用いて撮像対象との距離を検出した深度情報とを取得する。また、撮像部１２０は、ＲＧＢ画像の背景領域に対してぼかし処理を行なった撮像画像と、ＲＧＢ画像に対してぼかし処理を行なわない撮像画像とのいずれかを、システム処理部３００からの指示に応じて出力する。
【００４３】
近接センサ１３０は、第１筐体１０の内面に対面する方向（前方）に存在する物体（例えば、人物）を検出し、検出結果を示す検出信号をＥＣ２００へ出力する。
【００４４】
入力デバイス１５０は、ユーザの入力を受け付ける入力部であり、例えばキーボード１５１及びタッチパッド１５３を含んで構成されている。入力デバイス１５０は、キーボード１５１及びタッチパッド１５３に対する操作を受け付けることに応じて、操作内容を示す操作信号をＥＣ２００へ出力する。
【００４５】
電源部４００は、情報処理装置１の各部の動作状態に応じて各部へ電力を供給するための電源系統を介して電力を供給する。電源部４００は、ＤＣ（Ｄｉｒｅｃｔ  Ｃｕｒｒｅｎｔ）／ＤＣコンバータを備える。ＤＣ／ＤＣコンバータは、ＡＣ（Ａｌｔｅｒｎａｔｅ  Ｃｕｒｒｅｎｔ）／ＤＣアダプタもしくは電池パックから供給される直流電力の電圧を、各部で要求される電圧に変換する。ＤＣ／ＤＣコンバータで電圧が変換された電力が各電源系統を介して各部へ供給される。例えば、電源部４００は、ＥＣ２００から入力される各部の動作状態に応じて制御信号に基づいて各電源系統を介して各部に電力を供給する。
【００４６】
ＥＣ２００は、ＣＰＵ、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）およびＩ／Ｏ（Ｉｎｐｕｔ／Ｏｕｔｐｕｔ）ロジック回路などを含んで構成されたマイクロコンピュータである。ＥＣ２００のＣＰＵは、自部のＲＯＭに予め記憶した制御プログラムを読み出し、読み出した制御プログラムを実行して、その機能を発揮する。ＥＣ２００は、システム処理部３００とは独立に動作し、システム処理部３００の動作を制御し、その動作状態を管理する。また、ＥＣ２００は、近接センサ１３０と、入力デバイス１５０と電源部４００に接続されている。
【００４７】
例えば、ＥＣ２００は、近接センサ１３０から検出結果を示す検出信号を取得し、検出結果に基づいてシステム処理部３００の動作状態を制御する。また、ＥＣ２００は、電源部４００と通信を行うことにより、バッテリーの状態（残容量など）の情報を電源部４００から取得するとともに、情報処理装置１の各部の動作状態に応じた電力の供給を制御するための制御信号などを電源部４００へ出力する。また、ＥＣ２００は、入力デバイス１５０から操作信号を取得し、取得した操作信号のうちシステム処理部３００の処理に関連する操作信号についてはシステム処理部３００へ出力する。例えば、ＥＣ２００は、ＨＰＤ処理に関する機能構成として、人物検出部２１０、及び動作制御部２２０を備えている。
【００４８】
人物検出部２１０は、所定のサンプリング周期（例えば、１ｋＨｚ）で近接センサ１３０が検出する検出結果に基づいて、情報処理装置１の前方（正面ともいうことがある）に存在する人物を検出する。例えば、人物検出部２１０は、近接センサ１３０から取得する検出信号に基づいて、情報処理装置１の前方の所定の範囲内に存在する人物との距離を検出する。所定の範囲とは、人物検出部２１０が人物を検出する範囲として設定された人物検出範囲である。人物検出範囲は、検出対象とする視野角を示す検出視野角と、検出対象とする距離を示す最大検出距離とにより定まる範囲である。
【００４９】
例えば、人物検出範囲は、近接センサ１３０のセンサ検出範囲に相当する。具体的には、人物検出範囲における検出視野角は、例えば、近接センサ１３０の検出視野角ＦｏＶ（図４参照）に相当する。また、人物検出範囲における最大検出距離は、例えば近接センサ１３０の検出限界距離ＫＬａ（図４参照）に相当する。なお、人物検出範囲は、近接センサ１３０のセンサ検出範囲のうちの一部の範囲として、最大検出距離または最短検出距離に制限を設けてもよい。つまり、人物検出部２１０は、近接センサ１３０のセンサ検出範囲のうち予め設定された範囲を人物検出範囲として人物を検出してもよい。
【００５０】
例えば、人物検出部２１０は、近接センサ１３０から取得する検出信号に基づいて、人物検出範囲内に物体（例えば、人物）が存在するか否かを検出するとともに、物体（例えば、人物）が存在する場合には近接センサ１３０から物体（例えば、人物）までの距離を検出する。なお、以下の説明では、人物検出部２１０が物体（例えば、人物）を検出することを、単に、人物を検出するとも記載する。即ち、人物検出部２１０が人物を検出するとは、人物検出部２１０が人物を検出することも、人物以外の物体を検出することも含む。具体的には、人物検出部２１０は、近接センサ１３０から取得する人物との距離に応じた検出信号を取得した場合には、人物検出範囲内に人物が存在すること、及び人物までの距離を検出する。一方、人物検出部２１０は、近接センサ１３０から人物との距離に応じた検出信号を取得できなかった場合には、人物検出範囲内に人物が存在しないことを検出する。
【００５１】
また、人物検出部２１０は、人物検出範囲内に人物を検出しない状態から人物を検出した場合、情報処理装置１の前方に人物が接近したものと判定し、情報処理装置１への人物の接近を検出する。また、人物検出部２１０は、人物検出範囲内に人物を検出した後、継続して人物を検出している場合には、情報処理装置１の前方に人物が存在しているものと判定する。また、人物検出部２１０は、人物検出範囲内に人物を検出している状態から人物を検出しなくなった場合、情報処理装置１の前方に存在していた人物が離れたものと判定し、情報処理装置１からの人物の離脱を検出する。
【００５２】
動作制御部２２０は、人物検出部２１０により人物検出範囲内に人物が検出された場合、システム処理部３００によるシステム処理を起動させる。具体的には、動作制御部２２０は、人物検出部２１０が人物検出範囲内に人物を検出しない状態から人物を検出した場合（即ち、情報処理装置１への人物の接近を検出した場合）、システム処理を起動させる。より具体的には、動作制御部２２０は、システム処理部３００によるシステム処理を起動させる場合、電源部４００に対して、情報処理装置１の各部の動作に必要な電力を供給するための制御信号を出力する。その後、動作制御部２２０は、システム処理部３００にシステム処理の起動を指示するための起動信号を出力する。システム処理部３００は、起動信号を取得すると、システム処理を起動して通常動作状態へ遷移させる。
【００５３】
また、動作制御部２２０は、人物検出部２１０が人物検出範囲内に人物を継続して検出している場合、システム処理部３００によるシステム処理を待機状態に遷移させないように制限し、通常動作状態を継続させる。なお、動作制御部２２０は、人物検出部２１０が人物検出範囲内に人物を継続して検出している場合であっても、所定の条件（例えば、無操作の時間が予め設定された時間継続した場合）によって、通常動作状態から待機状態へ遷移させてもよい。
【００５４】
また、動作制御部２２０は、人物検出部２１０が人物検出範囲内に人物を検出している状態から人物を検出しなくなった場合（即ち、情報処理装置１からの人物の離脱を検出した場合）、システム処理部３００によるシステム処理を通常動作状態から待機状態に遷移させる。より具体的には、動作制御部２２０は、システム処理部３００にシステム処理を通常動作状態から待機状態へ遷移させる指示をするための待機信号を出力する。システム処理部３００は、待機信号を取得すると、システム処理を通常動作状態から待機状態へ遷移させる。その後、動作制御部２２０は、電源部４００に対して、待機状態では不要な電力の供給を停止させるための制御信号を出力する。
【００５５】
システム処理部３００は、ＣＰＵ３０２、ＧＰＵ（Ｇｒａｐｈｉｃ  Ｐｒｏｃｅｓｓｉｎｇ  Ｕｎｉｔ）３０４、メモリコントローラ３０６、Ｉ／Ｏ（Ｉｎｐｕｔ−Ｏｕｔｐｕｔ）コントローラ３０８、システムメモリ３１０、及び認証処理部３２１を含んで構成され、オペレーティングシステム（ＯＳ：Ｏｐｅｒａｔｉｎｇ  Ｓｙｓｔｅｍ）によるシステム処理によって、ＯＳ上で各種のアプリケーションソフトウェアの処理が実行可能である。ＣＰＵ３０２とＧＰＵ３０４をプロセッサと総称することがある。
【００５６】
ＣＰＵ３０２は、ＯＳによる処理や、ＯＳ上で動作するアプリケーションによる処理を実行する。また、ＣＰＵ３０２は、ＥＣ２００が近接センサ１３０の検出結果に基づいて行うＨＰＤ処理によりシステムの動作状態を遷移させる。例えば、ＣＰＵ３０２は、動作状態が待機状態であって、ＥＣ２００から起動信号が入力された場合、待機状態から通常動作状態に遷移させる。例えば、動作状態がスリープ状態、ハイバネーション状態またはパワーオフ状態であるとき、電源部４００から電力の供給を受け、かつＥＣ２００から起動信号が入力されると、ＣＰＵ３０２は、起動処理を開始する。ＣＰＵ３０２は、起動処理において、システムメモリ３１０、記憶部３６０などの最小限のデバイスの検出と初期化を行う（プリブート）。ＣＰＵ３０２は、記憶部３６０からシステムファームウェアをシステムメモリ３１０にロードし、通信部３５０、表示部１１０などその他のデバイスの検出と初期化を行う（ポスト処理）。初期化には、初期パラメータの設定などの処理が含まれる。なお、スリープ状態から通常動作状態への遷移（レジューム）においては、ポスト処理の一部が省略されることがある。ＣＰＵ３０２は、起動処理が完了した後、ＯＳによるシステム処理の実行を開始する（起動）。例えば、ＣＰＵ３０２は、動作状態がスタンバイ状態であって、ＥＣ２００から起動信号が入力されると、実行を停止していたソフトウェアの実行を再開する。
【００５７】
ＣＰＵ３０２は、起動処理において、ＯＳの利用を許可するか否かを判定するログイン認証処理を実行する。ＣＰＵ３０２は、ＯＳによる起動処理を開始すると、ＯＳの利用を許可する前にログイン認証処理を実行し、ログイン認証処理でログインを許可するまで、以降の起動処理を一旦停止する。ログイン認証処理は、情報処理装置１を使用する人物が予め登録された正規のユーザであるか否かを判定するユーザ認証処理である。ログイン認証には、パスワード認証、顔認証、指紋認証などがある。本実施形態では、顔認証処理を用いる例を説明する。具体的には、図６を参照して後述する。
【００５８】
また、ＣＰＵ３０２は、上述したＨＰＤ処理によって動作状態を遷移させる他に、ＯＳの処理としても動作状態を遷移させる。例えば、ＣＰＵ３０２は、通常動作状態において無操作の時間が予め設定された時間継続した場合に、ＯＳの処理により通常動作状態から待機状態へ遷移させる。予め設定された時間とは、無操作の時間が継続した場合に待機状態に遷移させることを判定するための閾値であり、ＯＳのシステム設定の中で設定可能である。例えば、無操作の時間が継続した場合に、表示部１１０の表示がＯＦＦ（画面ＯＦＦ）となる状態へ遷移させることを判定する「画面ＯＦＦ時間」や、スリープ状態へ遷移させることを判定する「スリープ時間」などがあり、それぞれ選択肢の中からユーザが任意に選択して設定できる。選択肢には、時間の選択肢（例えば、「１分」、「２分」、「４分」、「１０分」、「３０分」、「１時間」、・・・など）に加えて、画面ＯＦＦへの遷移を禁止する設定またはスリープ状態への遷移を禁止する設定（例えば、「なし」）なども含まれる。
【００５９】
ＧＰＵ３０４は、表示部１１０に接続されている。ＧＰＵ３０４は、ＣＰＵ３０２の制御に基づいて画像処理を実行して表示データを生成する。ＧＰＵ３０４は、生成した表示データを表示部１１０に出力する。なお、ＣＰＵ３０２とＧＰＵ３０４は、一体化して１個のコアとして形成されてもよいし、個々のコアとして形成されたＣＰＵ３０２とＧＰＵ３０４の相互間で負荷が分担されてもよい。プロセッサの数は、１個に限られず、複数個であってもよい。
【００６０】
メモリコントローラ３０６は、ＣＰＵ３０２とＧＰＵ３０４によるシステムメモリ３１０、記憶部３６０などからのデータの読出し、書込みを制御する。
Ｉ／Ｏコントローラ３０８は、通信部３５０、表示部１１０およびＥＣ２００からのデータの入出力を制御する。
システムメモリ３１０は、プロセッサの実行プログラムの読み込み領域ならびに処理データを書き込む作業領域として用いられる。
【００６１】
通信部３５０は、無線または有線による通信ネットワークを介して他の機器と通信可能に接続し、各種のデータの送信および受信を行う。例えば、通信部３５０は、イーサネット（登録商標）等の有線ＬＡＮインターフェースやＷｉ−Ｆｉ（登録商標）等の無線ＬＡＮインターフェース等を含んで構成されている。
【００６２】
記憶部３６０は、ＨＤＤ（Ｈａｒｄ  Ｄｉｓｋ  Ｄｒｉｖｅ）、セキュアＮＶＲＡＭ（Ｎｏｎ−Ｖｏｌａｔｉｌｅ  ＲＡＭ）、ＲＯＭ（Ｒｅａｄ  Ｏｎｌｙ  Ｍｅｍｏｒｙ）などの記憶媒体を含んで構成される。ＨＤＤは、ＯＳ、デバイスドライバ、アプリケーションなどの各種のプログラム、その他、プログラムの動作により取得した各種のデータを記憶する。セキュアＮＶＲＡＭには、各ユーザの認証に用いる認証データを記憶する。認証データには、各ユーザの識別情報と、認証情報とを対応付けて記憶する。セキュアＮＶＲＡＭには、Ｉ／Ｏコントローラ３０８から経由したＯＳの動作環境からはアクセスできないように保護（ロック）される。但し、ＣＰＵ３０２のパワーオン、リセット時にロックを解除し、プリブートの終了時にシステムファームウェアを実行してロックを開始する。
【００６３】
入出力端子３７０は、外部機器と接続するための外部接続端子である。例えば、入出力端子３７０は、通信部３５０が通信制御を行う有線ＬＡＮインターフェースに対応したＬＡＮ端子やＵＳＢ通信インターフェースに対応したＵＳＢ端子などであってもよい。また、入出力端子３７０は、表示部１１０に表示する表示データを外部の表示装置（外部ディスプレイ装置やプロジェクタ装置など）に接続するためのＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）（登録商標）端子であってもよい。入出力端子３７０は、ＥＣ２００またはシステム処理部３００と接続されている。
【００６４】
次に、ログイン認証処理に関する構成について詳しく説明する。
図６は、本実施形態に係るシステム処理部３００の機能構成の一例を示すブロック図である。システム処理部３００は、ＣＰＵ３０２が実行する機能構成のうちログイン認証処理に関係する構成の一例として、認証処理部３２１と、ログイン処理部３２２と、ログオフ処理部３２３と、設定部３２４と、ぼかし処理制御部３２５とを備えている。
【００６５】
認証処理部３２１は、撮像部１２０から出力される撮像画像に基づいて顔認証処理を実行する。顔認証処理は、顔検出処理と顔照合処理とを含む。顔検出処理は、撮像部１２０から出力される撮像画像の画像データから顔画像の領域である顔領域を定める処理である。顔画像とは、情報処理装置１の前方に存在する人物の顔の画像である。なお、顔検出処理認証処理部おいて、撮像部１２０が取得する深度情報を利用してもよい。顔照合処理は、顔領域から顔の特徴を表す複数の顔特徴点（例えば、口、目、鼻、など）の位置を求め、顔領域の位置と大きさがそれぞれ所定の位置と大きさとなるように正規化し、正規化した顔特徴点の分布を画像特徴量として定める過程と、定めた画像特徴量と所定の人物の顔画像に係る画像特徴量と照合し、照合に成功した画像特徴量に係る人物を特定する過程を有する。記憶部３６０には、アカウント毎に、そのアカウントでログインする正規ユーザとしての認証情報が設定されている。認証情報には、そのユーザの顔画像の画像特徴量が含まれる。認証情報には、さらにそのユーザを示すユーザ情報を対応付けて記憶される。ユーザ情報は、例えば、ユーザ名、ユーザＩＤ（Ｉｄｅｎｔｉｆｉｅｒ）、など情報処理装置１のユーザを特定できる情報であればよい。
【００６６】
認証処理部３２１は、撮像部１２０で撮像された人物の顔画像と、設定されているユーザの認証情報とを照合した結果が一致と判断できる場合に顔認証に成功したと判定する。一方、認証処理部３２１は、例えば、情報処理装置１を使用する人物以外の人物が前を単に横切った場合には、撮像部１２０で撮像された画像から顔領域が検出されない。認証処理部３２１は、顔認証の成否を示す認証結果をログイン処理部３２２に出力する。
【００６７】
ログイン処理部３２２は、認証処理部による認証結果に基づいてログインするログイン処理を実行する。ログイン処理部３２２は、起動処理を開始すると、ＯＳの利用を許可する前に顔認証処理の実行を認証処理部３２１に指示し、以降の起動処理を一旦停止する。ログイン処理部３２２は、認証処理部３２１による認証結果が成功であった場合、ログインを許可し、一旦停止していた起動処理の実行を再開してログイン処理を実行する。一方、認証処理部３２１による認証結果が失敗であった場合、ログインを許可しない旨を通知し、起動処理の実行を停止したままにする。
【００６８】
ログオフ処理部３２３は、ログインしている状態からログオフするログオフ処理を実行する。例えば、ユーザ操作、ＯＳの処理、またはＨＰＤ処理などによりログオフの指示（待機状態への遷移指示）を受けた場合、ログオフ処理部３２３は、ログオフ処理を実行する。
【００６９】
設定部３２４は、ログインしている状態において、ＯＳにおける各種の設定や、アプリケーションにおける各種の設定などを、入力デバイス１５０が受け付けるユーザの操作に基づいて設定する。設定部３２４は、設定した設定情報を記憶部３６０に記憶させる。例えば、設定部３２４は、図１に示す設定画面における操作ボタンＢ１１に対するユーザの操作に基づいて、撮像部１２０の画像処理部１２３が実行するぼかし処理を行なうか否か（ぼかし処理（Ｂｌｕｒ）のオン／オフ）を設定する。ぼかし処理がオンに設定されていると、ＯＳ上で動作するアプリケーションの処理で撮像部１２０から取得する撮像画像は、ぼかし処理が行われた撮像画像となる。ぼかし処理がオフに設定されていると、ＯＳ上で動作するアプリケーションの処理で撮像部１２０から取得する撮像画像は、ぼかし処理が行われていない撮像画像となる。
【００７０】
ぼかし処理制御部３２５は、少なくとも認証処理部３２１が顔認証処理を実行する期間については、撮像部１２０に対してぼかし処理を行なわないように指示する。例えば、ぼかし処理制御部３２５は、認証処理部３２１が顔認証処理を開始するタイミングに応じて、撮像部１２０に対してぼかし処理を行なわないように指示する制御信号を出力する。撮像部１２０の画像処理部１２３は、この制御信号を取得した場合、ぼかし処理を行なっていない撮像画像の画像データを出力する。
【００７１】
また、設定部３２４によりぼかし処理がオンに設定されている場合には、ぼかし処理制御部３２５は、認証処理部３２１による認証結果が成功したタイミングに応じて、撮像部１２０に対してぼかし処理を行なうように指示する制御信号を出力する。撮像部１２０の画像処理部１２３は、この制御信号を取得した場合、ぼかし処理を行なった撮像画像の画像データを出力する。
【００７２】
このように、ぼかし処理制御部３２５は、認証処理部３２１による顔認証処理の開始から認証結果が成功するまでの期間について、撮像部１２０に対してぼかし処理を行なわないように制御する。なお、ぼかし処理制御部３２５は、認証処理部３２１による顔認証処理の開始から終了までの期間（即ち、認証処理中の期間のみ）について、撮像部１２０に対してぼかし処理を行なわないように制御してもよい。
【００７３】
次に、本実施形態に係る処理の動作について説明する。
（ＨＰＤ処理の動作）
まず、情報処理装置１が人物の接近を検出したことによりシステム処理を起動する起動処理の動作について説明する。図７は、本実施形態に係る起動制御の一例を示すフローチャートである。ここでは、情報処理装置１は、開状態で机の上等に置かれており、待機状態であるものとする。
【００７４】
（ステップＳ１０１）ＥＣ２００は、近接センサ１３０から取得する検出信号に基づいて、情報処理装置１への人物の接近を検出したか否かを判定する。ＥＣ２００は、人物検出範囲内に人物を検出しない状態から人物を検出した場合、情報処理装置１への人物の接近を検出したと判定する。また、ＥＣ２００は、人物検出範囲内に人物を検出しない状態のままである場合、情報処理装置１への人物の接近を検出していないと判定する。そして、ＥＣ２００は、情報処理装置１への人物の接近を検出していないと判定した場合（ＮＯ）、再びステップＳ１０１の処理を行う。一方、ＥＣ２００は、情報処理装置１への人物の接近を検出したと判定した場合（ＹＥＳ）、ステップＳ１０３の処理に進む。
【００７５】
（ステップＳ１０３）ＥＣ２００は、システム処理部３００によるシステム処理を起動させる。具体的には、ＥＣ２００は、システム処理部３００によるシステム処理を起動させる場合、電源部４００に対して、情報処理装置１の各部の動作に必要な電力を供給するための制御信号を出力する。また、ＥＣ２００は、システム処理部３００にシステム処理の起動を指示するための起動信号を出力する。システム処理部３００は、起動信号を取得すると、起動処理を開始する。そして、ステップＳ１０５の処理に進む。
【００７６】
（ステップＳ１０５）システム処理部３００は、ログイン認証処理を実行する。例えば、システム処理部３００は、撮像部１２０から取得する撮像画像に基づいて顔認証によるログイン認証処理を実行し、ステップＳ１０７の処理に進む。
【００７７】
（ステップＳ１０７）システム処理部３００は、認証結果が成功であるか否かを判定する。システム処理部３００は、認証結果が成功であると判定した場合には（ＹＥＳ）、ステップＳ１０９の処理に進む。一方、システム処理部３００は、認証結果が失敗であると判定した場合には（ＮＯ）、ステップＳ１１３の処理に進む。
【００７８】
（ステップＳ１０９）システム処理部３００は、認証結果が成功の場合にはログイン成功である旨を通知し（例えば、表示部１１０に表示）、起動処理を継続する。そして、ステップＳ１１１の処理に進む。
（ステップＳ１１１）システム処理部３００は、起動処理を終了し、通常動作状態に遷移する。
【００７９】
（ステップＳ１１３）システム処理部３００は、認証結果が失敗の場合にはログイン失敗である旨を通知し（例えば、表示部１１０に表示）、ステップＳ１０５の認証処理に戻る。なお、システム処理部３００は、連続して所定の回数の認証処理に失敗した場合には、認証処理を中止し、ログイン認証処理の実行が不可の状態に遷移させてもよい。
【００８０】
次に、情報処理装置１からの人物の離脱を検出したことによりシステム処理を通常動作状態から待機状態へ遷移させる待機状態遷移処理の動作について説明する。
図８は、本実施形態に係る待機状態遷移処理の一例を示すフローチャートである。ここでは、情報処理装置１は、開状態で机の上等に置かれており、通常動作状態であるものとする。また、待機状態へ遷移させる際に待機しない場合（遷移待機時間が０秒に相当）について説明する。
【００８１】
（ステップＳ１５１）ＥＣ２００は、近接センサ１３０から取得する検出信号に基づいて、情報処理装置１からの人物の離脱を検出したか否かを判定する。例えば、ＥＣ２００は、人物検出範囲内に人物を検出している状態から人物を検出しなくなった場合、情報処理装置１からの人物の離脱を検出したと判定する。一方、ＥＣ２００は、人物検出範囲内に人物を検出している状態のままである場合、情報処理装置１からの人物の離脱を検出していないと判定する。そして、ＥＣ２００は、情報処理装置１からの人物の離脱を検出していない場合（ＮＯ）、再びステップＳ１５１の処理を行う。一方、ＥＣ２００は、情報処理装置１からの人物の離脱を検出した場合（ＹＥＳ）、ステップＳ１５３の処理に進む。
【００８２】
（ステップＳ１５３）ＥＣ２００は、システム処理部３００によるシステム処理を通常動作状態から待機状態へ遷移させる。具体的には、ＥＣ２００は、システム処理部３００にシステム処理を待機状態へ遷移させる指示をするための待機信号を出力する。システム処理部３００は、待機信号を取得すると、通常動作状態から待機状態へ遷移させる。また、ＥＣ２００は、電源部４００に対して、待機状態では不要な電力の供給を停止させるための制御信号を出力する。
【００８３】
（ぼかし制御処理の動作）
次に、情報処理装置１が、ログイン時の認証処理の期間について、撮像部１２０から取得する撮像画像のぼかし処理をオフに制御するぼかし制御処理の動作について説明する。
図９は、本実施形態に係るぼかし制御処理の一例を示すフローチャートである。
【００８４】
（ステップＳ２０１）システム処理部３００は、起動処理においてログイン認証の認証処理の開始タイミングであるか否かを判定する。システム処理部３００は、認証処理の開始タイミングであると判定した場合（ＹＥＳ）、ステップＳ２０３の処理に進む。一方、システム処理部３００は、認証処理の開始タイミングではないと判定した場合（ＮＯ）、ステップＳ２０１の処理を再び行う。
【００８５】
（ステップＳ２０３）システム処理部３００は、撮像部１２０に対してぼかし処理を行なわないように指示する。そして、ステップＳ２０５の処理に進む。
（ステップＳ２０５）システム処理部３００は、認証処理の認証結果が成功であるか否かを判定する。システム処理部３００は、認証結果が成功であると判定した場合（ＹＥＳ）、ステップＳ２０７の処理に進む。一方、システム処理部３００は、認証結果が失敗であると判定した場合（ＮＯ）、ステップＳ２０５の処理を再び行う。
【００８６】
（ステップＳ２０７）システム処理部３００は、ユーザの操作により設定されたぼかし処理の設定がオンであるか否かを判定する。システム処理部３００は、ぼかし処理がオンに設定されていると判定した場合（ＹＥＳ）、ステップＳ２０９の処理に進む。一方、システム処理部３００は、ぼかし処理がオフに設定されていると判定した場合（ＮＯ）、ぼかし処理がオフのままでよいため、ステップＳ２０１の処理に戻る。
【００８７】
（ステップＳ２０９）システム処理部３００は、撮像部１２０に対してぼかし処理を行なうように指示する。そして、ステップＳ２０１の処理に戻る。
【００８８】
なお、ステップＳ２０７において、システム処理部３００は、ぼかし処理がオフに設定されていると判定した場合（ＮＯ）、撮像部１２０に対してぼかし処理を行なわないように指示してもよい。また、システム処理部３００は、ステップＳ２０５において、ログインしたか否かを判定し、ログインしたと判定した場合にステップＳ２０７の処理に進んでもよい。
【００８９】
以上説明してきたように、本実施形態に係る情報処理装置１は、撮像部１２０と、認証処理部３２１と、ログイン処理部３２２と、ぼかし処理制御部３２５とを備えている。撮像部１２０は、撮像対象のＲＧＢ画像と、ＩＲ（赤外線）を用いて撮像対象との距離を検出した深度情報とを取得するとともに、深度情報に基づいてＲＧＢ画像のうち背景と判断される背景領域に対してぼかし処理を行なった撮像画像と、ＲＧＢ画像に対してぼかし処理を行なわない撮像画像とのいずれかを出力する。認証処理部３２１は、撮像部１２０から出力された撮像画像に基づいて認証処理を実行する。ログイン処理部３２２は、認証処理部３２１による認証結果に基づいてログインするログイン処理を実行する。そして、ぼかし処理制御部３２５は、少なくとも認証処理部３２１が認証処理を実行する期間については、撮像部１２０に対してぼかし処理を行なわないように指示する。
【００９０】
これにより、情報処理装置１は、プライバシー保護の観点から撮像画像の背景領域にカメラ側でぼかし処理を行なう場合でも、少なくとも認証処理の期間についてはぼかし処理を行なわないため、プライバシー保護とログイン時の認証処理とを両立することができる。よって、情報処理装置１は、カメラ側でのぼかし処理を適切に制御することができる。
【００９１】
また、情報処理装置１は、ユーザの操作を受け付ける入力デバイス１５０（入力部の一例）と、入力デバイス１５０が受け付けるユーザの操作に基づいて、ログインしている状態において上記ぼかし処理を行なうか否かを設定する設定部３２４とを備えている。
【００９２】
これにより、情報処理装置１は、ログイン中に使用するビデオ会議や動画の配信などのアプリケーションにおいて撮像画像（動画）の背景をぼかすか否かを、ユーザの意思によって設定することができる。
【００９３】
ぼかし処理制御部３２５は、ログイン処理部３２２によりログインしたことに応じて、設定部３２４によりぼかし処理を行なうと設定されている場合には、撮像部１２０に対して上記ぼかし処理を行うように指示する。また、ぼかし処理制御部３２５は、設定部３２４によりぼかし処理を行なわないと設定されている場合には、上記ぼかし処理を行なわないように指示する。よって、情報処理装置１は、カメラ側でのぼかし処理を適切に制御することができる。
【００９４】
これにより、情報処理装置１は、認証処理時にぼかし処理をオフした場合、ログインした後にぼかし処理をオンするか否かを、ユーザの意思に合わせて制御することができる。
【００９５】
＜第２の実施形態＞
次に、本発明の第２の実施形態について説明する。
本実施形態に係る情報処理装置１の基本的な構成は、第１の実施形態と同様であるため、本実施形態において特徴的な処理について説明する。本実施形態では、ぼかし制御処理の一部の処理が第１の実施形態と異なる。
【００９６】
ぼかし処理制御部３２５は、ログオフ処理部３２３がログオフ処理を実行するタイミングに応じて、撮像部１２０に対してぼかし処理を行なわないように指示する。また、ぼかし処理制御部３２５は、ログイン処理部３２２によりログインしたことに応じて、撮像部１２０に対してぼかし処理を行うように指示する。
【００９７】
図１０は、本実施形態に係るぼかし制御処理の一例を示すフローチャートである。
（ステップＳ３０１）システム処理部３００は、ログインしている状態においてログオフの指示を受けたか否かを判定する。システム処理部３００は、ログオフの指示を受けたと判定した場合（ＹＥＳ）、ステップＳ３０３の処理に進む。一方、システム処理部３００は、ログオフの指示を受けていないと判定した場合（ＮＯ）、ステップＳ３０１の処理を再び行う。
【００９８】
（ステップＳ３０３）システム処理部３００は、撮像部１２０に対してぼかし処理を行なわないように指示する。そして、ステップＳ３０５の処理に進む。
（ステップＳ３０５）システム処理部３００は、ログイン認証処理を実行することによりログインしたか否かを判定する。システム処理部３００は、ログインしたと判定した場合（ＹＥＳ）、ステップＳ３０７の処理に進む。一方、システム処理部３００は、ログインしていないと判定した場合（ＮＯ）、ステップＳ３０５の処理を再び行う。
【００９９】
（ステップＳ３０７）システム処理部３００は、ユーザの操作により設定されたぼかし処理の設定がオンであるか否かを判定する。システム処理部３００は、ぼかし処理がオンに設定されていると判定した場合（ＹＥＳ）、ステップＳ３０９の処理に進む。一方、システム処理部３００は、ぼかし処理がオフに設定されていると判定した場合（ＮＯ）、ぼかし処理がオフのままでよいため、ステップＳ３０１の処理に戻る。
【０１００】
（ステップＳ３０９）システム処理部３００は、撮像部１２０に対してぼかし処理を行なうように指示する。そして、ステップＳ３０１の処理に戻る。
【０１０１】
なお、ステップＳ３０７において、システム処理部３００は、ぼかし処理がオフに設定されていると判定した場合（ＮＯ）、撮像部１２０に対してぼかし処理を行なわないように指示してもよい。また、システム処理部３００は、ステップＳ３０５において、認証処理の認証結果が成功であるか否かを判定し、認証結果が成功であると判定した場合にステップＳ３０７の処理に進んでもよい。
【０１０２】
このように、本実施形態に係る情報処理装置１は、ログオフ処理部３２３がログオフ処理を実行するタイミングに応じて、撮像部１２０に対してぼかし処理を行なわないように指示する。これにより、情報処理装置１は、プライバシー保護の観点から撮像画像の背景領域にカメラ側でぼかし処理を行なう場合でも、ログイン時の認証処理の期間についてはぼかし処理を行なわないため、プライバシー保護とログイン時の認証処理とを両立することができる。よって、情報処理装置１は、カメラ側でのぼかし処理を適切に制御することができる。
【０１０３】
また、ぼかし処理制御部３２５は、ログイン処理部３２２によりログインしたことに応じて、撮像部１２０に対してぼかし処理を行うように指示する。これにより、情報処理装置１は、ログオフ時にぼかし処理を解除しても、ログイン後にぼかし処理を適用できるため、プライバシー保護とログイン時の認証処理とを両立することができる。
【０１０４】
＜第３の実施形態＞
次に、本発明の第３の実施形態について説明する。
本実施形態に係る情報処理装置１の基本的な構成は、第１の実施形態と同様であるため、本実施形態において特徴的な処理について説明する。本実施形態では、ぼかし制御処理の一部の処理が第１及び第２の実施形態と異なる。
【０１０５】
情報処理装置１は、人物の接近を検出したことに応じて、ぼかし処理をオフに制御してもよい。例えば、ぼかし処理制御部３２５は、人物検出部２１０が情報処理装置１への人物の接近を検出したことに応じて、撮像部１２０に対してぼかし処理を行なわないように指示してもよい。
図１１は、本実施形態に係るぼかし制御処理の一例を示すフローチャートである。
【０１０６】
（ステップＳ４０１）システム処理部３００は、人物検出部２１０が情報処理装置１への人物の接近を検出したか否かを判定する。システム処理部３００は、人物の接近を検出したと判定した場合（ＹＥＳ）、ステップＳ４０３の処理に進む。一方、システム処理部３００は、人物の接近を検出していないと判定した場合（ＮＯ）、ステップＳ４０１の処理を再び行う。
【０１０７】
（ステップＳ４０３）システム処理部３００は、撮像部１２０に対してぼかし処理を行なわないように指示する。そして、ステップＳ４０５の処理に進む。
（ステップＳ４０５）システム処理部３００は、認証処理の認証結果が成功であるか否かを判定する。システム処理部３００は、認証結果が成功であると判定した場合（ＹＥＳ）、ステップＳ４０７の処理に進む。一方、システム処理部３００は、認証結果が失敗であると判定した場合（ＮＯ）、ステップＳ４０５の処理を再び行う。
【０１０８】
（ステップＳ４０７）システム処理部３００は、ユーザの操作により設定されたぼかし処理の設定がオンであるか否かを判定する。システム処理部３００は、ぼかし処理がオンに設定されていると判定した場合（ＹＥＳ）、ステップＳ４０９の処理に進む。一方、システム処理部３００は、ぼかし処理がオフに設定されていると判定した場合（ＮＯ）、ぼかし処理がオフのままでよいため、ステップＳ４０１の処理に戻る。
【０１０９】
（ステップＳ４０９）システム処理部３００は、撮像部１２０に対してぼかし処理を行なうように指示する。そして、ステップＳ４０１の処理に戻る。
【０１１０】
なお、ステップＳ４０７において、システム処理部３００は、ぼかし処理がオフに設定されていると判定した場合（ＮＯ）、撮像部１２０に対してぼかし処理を行なわないように指示してもよい。また、システム処理部３００は、ステップＳ４０５において、ログインしたか否かを判定し、ログインしたと判定した場合にステップＳ４０７の処理に進んでもよい。
【０１１１】
このように、本実施形態に係る情報処理装置１は、人物の接近を検出したことに応じて、撮像部１２０に対してぼかし処理を行なわないように指示する。これにより、情報処理装置１は、プライバシー保護の観点から撮像画像の背景領域にカメラ側でぼかし処理を行なう場合でも、人物の接近を検出したことに応じて行うログイン認証処理ではぼかし処理を行なわないため、プライバシー保護とログイン時の認証処理とを両立することができる。よって、情報処理装置１は、カメラ側でのぼかし処理を適切に制御することができる。
【０１１２】
なお、ステップＳ４０１において、システム処理部３００（ぼかし処理制御部３２５）は、人物検出部２１０が情報処理装置１からの人物の離脱を検出したことに応じて、撮像部１２０に対してぼかし処理を行なわないように指示してもよい。この場合も同様に、情報処理装置１は、プライバシー保護の観点から撮像画像の背景領域にカメラ側でぼかし処理を行なう場合でも、ログイン認証処理ではぼかし処理を行なわないようにすることができる。
【０１１３】
以上、この発明の実施形態について図面を参照して詳述してきたが、具体的な構成は上述の実施形態に限られるものではなく、この発明の要旨を逸脱しない範囲の設計等も含まれる。上述の各実施形態において説明した各構成は、任意に組み合わせることができる。
【０１１４】
上記実施形態では、情報処理装置１がＨＰＤ処理の機能を備えている構成例を説明したが、第１及び第２の実施形態では、ＨＰＤ処理の機能を備えていない構成であってもよい。
【０１１５】
また、上記実施形態では、情報処理装置１に撮像部１２０が内蔵されている構成例を説明したが、これに限られるものではない。例えば、撮像部１２０は、情報処理装置１に内蔵されていなくてもよく、情報処理装置１の外部アクセサリとして無線または有線で情報処理装置１と接続されるものであってもよい。
【０１１６】
また、上記実施形態では、システム処理部３００と独立に動作するＥＣ２００は、センサハブ、チップセット、などのいずれの処理部であってもよく、ＥＣ２００以外の処理部がＥＣ２００に代えて上述の処理を実行してもよい。このＥＣ２００等の処理部と近接センサ１３０の電力消費量の合計は、通例、システム処理部３００の電力消費量よりも格段に少ない。
【０１１７】
また、上述した待機状態には、処理中の内容が視認できないように予め設定された画像（例えば、ロック画面用の画像）が表示部１１０に表示されている状態（所謂、画面ロックの状態）が含まれてもよい。また、システム処理の動作を活性化させるとは、システム処理の起動に限られず、表示部１１０の画面ロックの状態からの解除、表示部１１０への表示の開始もしくは既に表示させている表示画面の輝度の増加、所定のアプリケーションプログラムの実行開始、などであってもよい。
【０１１８】
なお、上述した情報処理装置１は、内部にコンピュータシステムを有している。そして、上述した情報処理装置１が備える各構成の機能を実現するためのプログラムをコンピュータ読み取り可能な記録媒体に記録して、この記録媒体に記録されたプログラムをコンピュータシステムに読み込ませ、実行することにより上述した情報処理装置１が備える各構成における処理を行ってもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。
【０１１９】
また、記録媒体には、当該プログラムを配信するために配信サーバからアクセス可能な内部又は外部に設けられた記録媒体も含まれる。なお、プログラムを複数に分割し、それぞれ異なるタイミングでダウンロードした後に情報処理装置１が備える各構成で合体される構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１２０】
また、上述した実施形態における情報処理装置１が備える各機能の一部、または全部を、ＬＳＩ（Ｌａｒｇｅ  Ｓｃａｌｅ  Ｉｎｔｅｇｒａｔｉｏｎ）等の集積回路として実現してもよい。各機能は個別にプロセッサ化してもよいし、一部、又は全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１２１】
１  情報処理装置、１０  第１筐体、２０  第２筐体、１５  ヒンジ機構、１１０  表示部、１２０  撮像部、１３０  近接センサ、１５０  入力デバイス、１５１  キーボード、１５３  タッチパッド、２００  ＥＣ、２１０  人物検出部、２２０  動作制御部、３００  システム処理部、３０２  ＣＰＵ、３０４  ＧＰＵ、３０６  メモリコントローラ、３０８  Ｉ／Ｏコントローラ、３１０  システムメモリ、３２１  認証処理部、３２２  ログイン処理部、３２３  ログオフ処理部、３２４  設定部、３２５  ぼかし処理制御部、３５０  通信部、３６０  記憶部、４００  電源部
【図１】
2020140430.tif 000003
【図２】
2020140430.tif 000004
【図３】
2020140430.tif 000005
【図４】
2020140430.tif 000006
【図５】
2020140430.tif 000007
【図６】
2020140430.tif 000008
【図７】
2020140430.tif 000009
【図８】
2020140430.tif 000010
【図９】
2020140430.tif 000011
【図１０】
2020140430.tif 000012
【図１１】
2020140430.tif 000013